(57)【要約】【課題】本発明は、外装部材に複数の切り欠き部を設けても強固であり、隣接する外装部材との隙間や開きを抑制し、筐体内部の部品を保護することができる構造を有した電子機器を提供する。【解決手段】隣接する複数の面で覆うように形成された複数の外装カバーで構成される筐体を備える電子機器において、隣接する複数の面のうちの背面、上面、側面が連接する部分で切り欠かれた切り欠き部３０ａを有する後カバー３０と、後カバー３０の背面側と上面側とを連結するように切り欠き部３０ａの近傍に接合された補強部材３３とを備える。【選択図】図２
2010186033.tif 000002
【特許請求の範囲】
【請求項１】
隣接する複数の面で覆うように形成された複数の外装部材で構成される筐体を備える電子機器において、
前記隣接する複数の面のうちの第１の面と当該第１の面に隣接する少なくとも一つの第２の面との隣接する部分が切り欠かれた切り欠き部を有する第１の外装部材と、
前記第１の外装部材の前記第１の面と前記第２の面とを連結するように前記切り欠き部の近傍に接合された補強部材とを備えることを特徴とする電子機器。
【請求項２】
前記第１の外装部材との結合により筐体の一部または全部を構成し、前記第１の外装部材との結合部分であって前記切り欠き部の近傍に穴部が設けられた第２の外装部材をさらに備え、
前記補強部材は、前記第１の外装部材の前記第２の面に接合する部分の近傍に前記穴部に係合する爪部が形成されていることを特徴とする請求項１記載の電子機器。
【請求項３】
前記補強部材は、さらに前記第１の外装部材の前記第１の面に接合する部分の近傍に前記第２の外装部材と締結する締結部が形成されていることを特徴とする請求項２記載の電子機器。
【発明の詳細な説明】
【技術分野】
【０００１】
本発明は、電子機器に関し、特に電子機器の筐体に関する。
【背景技術】
【０００２】
従来、デジタルカメラ等の電子機器の筐体には、高級感を出すために前後の外装部材を金属にしたものがある。また、筐体の厚みを薄く見せたり、外観にアクセントを持たせるために、前後の外装部材の間に別の材質の外装部材を設けたものがある。例えば、デジタルカメラに金属製の外装部材を用いた場合、特許文献１のように、前後金属外装の間のステンレスの帯部材に、当該前後金属外装を嵌め込む構造となる。そのため、前後外装部材の内側に帯部材に向かって延伸する腕部を設け、この腕部に凸形状を形成し、そこに帯部材を嵌め込む構造としている。この結果、外装部材同士の開きを抑制すると同時に外力に対して強固な筐体を得ることが出来る。
【０００３】
ところで、デジタルカメラには、外部のＡＶ機器に接続するためのＡＶ出力コネクタやＨＤＭＩコネクタなどの映像、音声、制御信号を入出力する外部インターフェースが設けられている。デジタルカメラでは、視認性や操作性を考慮して筐体の背面に画像表示部と操作部が配置されるが、外部インターフェースは筐体の側面に配置されることが多い。
【先行技術文献】
【特許文献】
【０００４】
【特許文献１】特開２００７−０３３５１０号公報
【発明の概要】
【発明が解決しようとする課題】
【０００５】
しかしながら、外部インターフェースを筐体の背面に配置した方が筐体の小型化や薄型化を図る点で効果的だが、画像表示部の視認性や操作部の操作性を損なわないようにするために、外部インターフェースを筐体の隅に配置する必要がでてくる。例えば、カメラ本体背面側の外装部材が上面や側面の一部に回り込む形状であれば、背面側の外装部材の隅を、背面、上面、側面の複数面に渡って大きく切り欠かなくてはならない。その結果、外装部材の強度が低下し、外力が加わった際に外装部材同士の開きや変形が発生するおそれがある。
【０００６】
本発明の第１の目的は、外装部材が複数面に渡って大きく切り欠かれた形状であっても、外力に対する外装部材の変形や開きの発生を防止することができる電子機器を提供することにある。
【０００７】
また、本発明の第２の目的は、隣接する外装部材同士の隙間や外力が加わった際の外装部材の開きを抑制することができる電子機器を提供することにある。
【０００８】
さらに、本発明の第３の目的は、外装部材の強度を簡素な方法で確保して外力に対して強固な筐体とすることができる電子機器を提供することにある。
【課題を解決するための手段】
【０００９】
上記目的を達成するために、請求項１記載の電子機器は、隣接する複数の面で覆うように形成された複数の外装部材で構成される筐体を備える電子機器において、前記隣接する複数の面のうちの第１の面と当該第１の面に隣接する少なくとも一つの第２の面との隣接する部分が切り欠かれた切り欠き部を有する第１の外装部材と、前記第１の外装部材の前記第１の面と前記第２の面とを連結するように前記切り欠き部の近傍に接合された補強部材とを備えることを特徴とする。
【発明の効果】
【００１０】
請求項１記載の電子機器によれば、隣接する複数の面のうちの第１の面と当該第１の面に隣接する少なくとも一つの第２の面との隣接する部分が切り欠かれた切り欠き部を有する第１の外装部材を備える。そして、第１の外装部材の第１の面と第２の面とを連結するように切り欠き部の近傍に接合された補強部材をさらに備える。この結果、外装部材が複数面に渡って大きく切り欠かれた形状であっても、外力に対する外装部材の変形や開きの発生を防止することができる。
【００１１】
請求項２記載の電子機器によれば、第１の外装部材との結合により筐体の一部または全部を構成し、第１の外装部材との結合部分であって切り欠き部の近傍に穴部が設けられた第２の外装部材をさらに備える。そして、補強部材は、第１の外装部材の第２の面に接合する部分の近傍に穴部に係合する爪部が形成される。この結果、隣接する外装部材同士の隙間や外力が加わった際の外装部材の開きを抑制することができる。
【００１２】
請求項３記載の電子機器によれば、補強部材は、さらに第１の外装部材の第１の面に接合する部分の近傍に第２の外装部材と締結する締結部が形成されている。これにより、第１の外装部材と第２の外装部材を一体化することができ、外装部材の強度を簡素な方法で確保して外力に対して強固な筐体とすることができる。
【図面の簡単な説明】
【００１３】
【図１】本発明の実施形態に係る電子機器の一例であるデジタルカメラの外観を示す背面斜視図である。
【図２】後カバーの構成を示す斜視図である。
【図３】後カバーに隣接するカバー類の構成を示す斜視図である。
【図４】第１のインナー部材と帯カバーインナー部材の係合部分の周囲の垂直部分断面図である。
【図５】第２のインナー部材とモールドカバーの係合部分の周囲の水平部分断面図である。
【図６】補強部材が固定された後カバーの斜視図である。
【図７】補強部材の爪部とモールドカバーの第４の穴部の係合部分の周囲の垂直部分断面図である。
【図８】後カバーと補強部材の接合部分の周辺の垂直部分断面図である。
【発明を実施するための形態】
【００１４】
以下、本発明の実施の形態を図面を参照して詳細に説明する。
【００１５】
図１は、本発明の実施形態に係る電子機器の一例であるデジタルカメラの外観を示す背面斜視図である。
【００１６】
図１において、１０はデジタルカメラの本体である。本体１０内の前面側には、不図示の沈胴式のレンズ鏡筒を備える撮像部が配置されている。２０は電源ボタン、２１は静止画または動画を撮影する際に押下されるレリーズボタンである。レリーズボタン２１が半押しされると、撮像部の撮影準備動作（焦点検出及び測光動作）が開始され、全押しされると、撮像部が撮影を行う。
【００１７】
２２はズームレバーであり、ユーザが左または右方向に当該ズームレバー２２を操作することにより、撮影時の画角の調整を行うことができる。また、撮影者（ユーザ）がズームレバー２２を望遠側に操作すると撮像部が被写体を大きく撮影し、広角側に操作すると撮像部が被写体を小さく撮影する。２３は撮影画像や撮影設定画面等の表示手段としての液晶パネルであり、撮像部内の不図示の撮影レンズを通して撮像素子により画像信号を取得し、取得した信号に基づいて画像を表示する。また、液晶パネル２３には、本体１０内の記録媒体等に記録された撮影画像を再生表示する機能を有する。
【００１８】
２４は光学ファインダーであり、ユーザはファインダー２４を介して被写体像を確認することができる。２５は、不図示の外部インターフェースを保護するためのジャックカバーであり、本体１０に対して開閉可能に取り付けられている。外部インターフェースは、例えば、ＨＤＭＩコネクタやＡＶ出力コネクタ、またはＵＳＢコネクタ等である。ジャックカバー２５が開状態では、外部インターフェースが露出し、不図示の接続ケーブル等を外部インターフェースに接続することで、外部機器等と通信を行うことが可能になる。２６は、デジタルカメラが有する各種機能を設定するためのダイヤル等で構成された操作部である。
【００１９】
３０は、デジタルカメラの外装部材として、本体１０の背面と、上面及び側面の一部を覆うステンレス製の後カバー（第１の外装部材）である。
【００２０】
図２は、後カバー３０の構成を示す斜視図である。
【００２１】
後カバー３０は、外部インターフェースを露出するために、隣接する複数の面（本体１０の背面、上面、側面）のうち背面（第１の面）と背面に隣接する上面（第２の面）と背面、上面に隣接する側面との隣接する部分が切り欠かれた切り欠き部３０ａを有する。
【００２２】
切り欠き部３０ａの近傍には、ズームレバー２２の形状に合わせた切り欠き部３０ｂが設けられている。また、後カバー３０の略中央には、液晶パネル２３の表示部に合わせて矩形状に切り抜かれた切り抜き部３０ｃが設けられている。切り抜き部３０ｃの近傍には、操作部２６の形状に合わせて円形状に切り抜かれた切り抜き部３０ｄと、ファインダー２４を露出するために切り抜かれた切り抜き部３０ｅが設けられている。
【００２３】
３１，３２は、本体１０に外力が加わった際に後カバー３０の変形や開きを抑制するために、該後カバー３０にスポット溶接されたステンレス製の第１のインナー部材、第２のインナー部材である。３３は、例えば、ステンレス製の補強部材である。補強部材３３は、後カバー３０の背面側と上面側とを連結するにように、後カバー３０の切り欠き部３０ａの近傍にスポット溶接で接合される。この補強部材３３により、後カバー３０が複数面に渡って大きく切り欠かれた形状の切り欠き部３０ａを有しても、後カバー３０の強度を補強すると共に、外力に対する外装部材の変形や開きの発生を防止することができる。
【００２４】
図３は、後カバー３０に隣接するカバー類の構成を示す斜視図である。
【００２５】
４０は、後カバー３０と隣接するステンレス製の帯状のカバーである。４１は、帯カバー４０にスポット溶接されているステンレス製の帯カバーインナー部材である。
【００２６】
５０は、後カバー３０との結合により筐体の一部（または全部）を構成するモールドカバー（第２の外装部材）である。モールドカバー５０は、ＨＤＭＩコネクタが露出するように第１の穴部５０ａが設けられ、ＡＶ出力コネクタが露出するように第２の穴部５０ｂが設けられている。また、モールドカバー５０の一部は、後カバー３０の切り欠き部３０ａと略同一形状となっており、ジャックカバー２５を開けた際の外観部となっている。
【００２７】
第１のインナー部材３１には、後カバー３０の切り抜き部３０ｅの近傍に３箇所に凸部３１ａが設けられている。後カバー３０と帯カバー４０が組まれた場合、第１のインナー部材３１の凸部３１ａが、帯カバーインナー部材４１にそれぞれ係合する。
【００２８】
第２のインナー部材３２には、その両端部にそれぞれ曲げ部３２ａが設けられている。モールドカバー５０の側面側には、２箇所に第３の穴部５０ｃが設けられている。後カバー３０とモールドカバー５０が組まれた場合、第２のインナー部材３２の曲げ部３２ａが、モールドカバー５０の第３の穴部５０ｃにそれぞれ係合する。
【００２９】
補強部材３３には、後カバー３０の上面側に接合する部分の近傍に、モールドカバー５０に設けられた第４の穴部５０ｄに係合する爪部３３ａが形成されている。また、後カバー３０の背面側に接合する部分の近傍に、モールドカバー５０に設けられた締結部５０ｅに締結する締結部３３ｂが形成されている。
【００３０】
モールドカバー５０には、後カバー３０との結合部分であって後カバー３０の切り欠き部３０ａの近傍に、補強部材３３の爪部３３ａが係合する第４の穴部５０ｄが設けられている。後カバー３０とモールドカバー５０が組まれた場合、補強部材３３の爪部３３ａがモールドカバー５０の第４の穴部５０ｄに係合する。
【００３１】
また、モールドカバー５０の背面側には、補強部材３３の締結部３３ｂと締結する締結部５０ｅが設けられている。補強部材３３の締結部３３ｂとモールドカバー５０の締結部５０ｅは、ビス等により締結される。
【００３２】
図４は、第１のインナー部材３１と帯カバーインナー部材４１の係合部分の周囲の垂直部分断面図である。
【００３３】
４１ａは、帯カバーインナー部材４１に設けられた曲げ部である。後カバー３０と帯カバー４０が組まれた場合、帯カバーインナー部材４１の曲げ部４１ａに、第１のインナー部材３１の凸部３１ａが係合する。これにより、後カバー３０が図４のＡ方向（本体１０の後方向）に開こうとすると、凸部３１ａが曲げ部４１ａに当接して開きを抑制する。
【００３４】
図５は、第２のインナー部材３２とモールドカバー５０の係合部分の周囲の水平部分断面図である。
【００３５】
図５に示すように、第２のインナー部材３２に設けられた曲げ部３２ａがモールドカバー５０に設けられた第３の穴部５０ｃと係合する。これにより、後カバーのＢ方向（本体１０の横方向）への開きを抑制することができる。
【００３６】
次に、図６、図７を用いて、補強部材３３について説明する。
【００３７】
図６は、補強部材３３が固定された後カバー３０の斜視図である。
【００３８】
後カバー３０において切り欠き部３０ａと切り欠き部３０ｂに挟まれた部分３０ｆは、図示のＣ方向（本体１０の前後方向）とＤ方向（本体１０の上下方向）の外力に対して弱くなってしまう。
【００３９】
補強部材３３は、後カバー３０の切り欠き部３０ａ，３０ｂの近傍で該後カバー３０の背面側と上面側を連結することで、後カバー３０の部分３０ｆの強度を向上させるものである。これにより、後カバー３０は、どの方向からの外力に対しても強固なものとなる。
【００４０】
図７は、補強部材３３の爪部３３ａとモールドカバー５０の第４の穴部５０ｄの係合部分の周囲の垂直部分断面図である。
【００４１】
補強部材３３が固定された後カバー３０とモールドカバー５０が組まれた場合、図７に示すように、爪部３３ａと第４の穴部５０ｄが係合する。これにより、後カバー３０とモールドカバー５０の隙間を少なくすると共に、外力が加わった際の後カバー３０の図示のＥ方向（本体１０の後方向）への開きを抑制することができる。
【００４２】
図８は、後カバー３０と補強部材３３の接合部分の周辺の垂直部分断面図である。
【００４３】
図８に示すように、補強部材３３に設けられた締結部３３ｂは、モールドカバー５０に設けられた締結部５０ｅにビス６０で締結され、後カバー３０とモールドカバー５０が一体化されている。そのため、本体１０は外力に対してより強固なものとなる。
【００４４】
以上説明したように、本実施の形態によれば、複数の面が切り欠かれた後カバー３０の切り欠き部３０ａ，３０ｂ近傍に、切り欠かれた面同士を連結する補強部材３３が接合されている。これにより、外装部材が複数面に渡って大きく切り欠かれた形状であっても、外力に対する外装部材の変形や開きの発生を防止することができる。
【００４５】
また、補強部材３３に爪部３３ａを設け、後カバー３０と隣接するモールドカバー５０に設けられた第４の穴部５０ｄに係合するように構成した。これにより、外装部材同士の隙間や外力が加わった際の外装部材の開きを抑制することができる。
【００４６】
さらに、補強部材３３にモールドカバー５０と締結する締結部３３ｂを設けた。これにより、後カバー３０にモールドカバー５０を締結することができ、より強固な筐体構造とすることができる。
【００４７】
本発明は、以上説明した実施形態に限定されることなく、種々の変形や変更が可能なことはもちろんである。例えば、上記実施形態では、補強部材３３で後カバー３０の背面側と上面側を連結しているが、連結する面についてはこの組み合わせに限定されない。
【００４８】
また、上記実施形態では、後カバー３０の一つの隅が本体１０の背面側、上面側、側面側の３つの面に渡って切り欠かれているが、切り欠きを設ける場所や面数はこれに限定されるものではない。
【符号の説明】
【００４９】
３０  後カバー
３１  第１のインナー部材
３１ａ  凸部
３２  第２のインナー部材
３２ａ  曲げ部
３３  補強部材
３３ａ  爪部
３３ｂ  締結部
４０  帯カバー
４１  帯カバーインナー部材
５０  モールドカバー
５０ａ〜５０ｄ  第１の穴部〜第４の穴部
【図１】
2010186033.tif 000003
【図２】
2010186033.tif 000004
【図３】
2010186033.tif 000005
【図４】
2010186033.tif 000006
【図５】
2010186033.tif 000007
【図６】
2010186033.tif 000008
【図７】
2010186033.tif 000009
【図８】
2010186033.tif 000010